(57)【要約】【課題】被処理体に形成された凹部のパターンの上部に有機膜を異方的に堆積させることを目的とする。【解決手段】チャンバの内部に炭素含有ガスと不活性ガスとを含む第１のガスを供給する第１の工程と、プラズマ生成用の高周波電力を印加して、供給した前記第１のガスからプラズマを生成し、被処理体に形成された所定膜のパターンの上に有機物を含む化合物を堆積させる第２の工程と、を有し、前記第１のガスのうち前記不活性ガスに対する前記炭素含有ガスの比率は、１％以下である、処理方法が提供される。【選択図】図６
2018142651.tif 000002
【特許請求の範囲】
【請求項１】
チャンバの内部に炭素含有ガスと不活性ガスとを含む第１のガスを供給する第１の工程と、
プラズマ生成用の高周波電力を印加して、供給した前記第１のガスからプラズマを生成し、被処理体に形成された所定膜のパターンの上に有機物を含む化合物を堆積させる第２の工程と、を有し、
前記第１のガスのうち前記不活性ガスに対する前記炭素含有ガスの比率は、１％以下である、
処理方法。
【請求項２】
前記第２の工程は、前記所定膜の上面が該所定膜の側面よりも厚くなるように前記所定膜の上に有機物を含む化合物を堆積させる、
請求項１に記載の処理方法。
【請求項３】
前記チャンバの内部にフロロカーボンガスを含む第２のガスを供給する第３の工程と、
供給した前記第２のガスからプラズマを生成し、前記所定膜の下の膜をエッチングする第４の工程と、を有する、
請求項１〜２のいずれか一項に記載の処理方法。
【請求項４】
前記第２の工程と前記第４の工程とは、所定回数繰り返し行われる、
請求項３に記載の処理方法。
【請求項５】
前記炭素含有ガスは、フロロカーボンガス、ハイドロカーボンガス、ハイドロフロロカーボンガス、アルコールのいずれかである、
請求項１〜４のいずれか一項に記載の処理方法。
【請求項６】
前記炭素含有ガスは、Ｃ４Ｆ６，Ｃ５Ｆ８、Ｃ４Ｆ８、ＩＰＡ（Ｃ３Ｈ８Ｏ）のいずれかである、
請求項５に記載の処理方法。
【請求項７】
前記不活性ガスは、Ａｒである、
請求項１〜６のいずれか一項に記載の処理方法。
【請求項８】
前記チャンバの天井部に配置された上部電極にプラズマ生成用の高周波電力を印加する、
請求項１〜７のいずれか一項に記載の処理方法。
【請求項９】
前記チャンバには、バイアス引き込み用の高周波電力は印加しない、
請求項１〜８のいずれか一項に記載の処理方法。
【請求項１０】
前記処理方法は、誘導結合型プラズマ処理装置、プラズマ生成用の高周波電力を上部電極側に印加する容量結合型プラズマ処理装置、マイクロ波プラズマ処理装置及びリモートプラズマ装置のいずれかにより実行される、
請求項１〜９のいずれか一項に記載の処理方法。
【請求項１１】
被処理体を載置するステージと、ガスを供給するガス供給部と、制御部とを有するプラズマ処理装置であって、
前記制御部は、
チャンバの内部に炭素含有ガスと不活性ガスとを含む第１のガスを供給し、
プラズマ生成用の高周波電力を印加して、供給した前記第１のガスからプラズマを生成し、被処理体に形成された所定膜のパターンの上に有機物を含む化合物を堆積させ、
前記第１のガスのうち前記不活性ガスに対する前記炭素含有ガスの比率が１％以下になるように制御する、
プラズマ処理装置。
【発明の詳細な説明】
【技術分野】
【０００１】
本発明は、処理方法及びプラズマ処理装置に関する。
【背景技術】
【０００２】
近年、半導体製造においてデバイスの寸法が微細になり、被処理体に形成されたホールやラインアンドスペース（Ｌ＆Ｓ：Line and Space）の溝部のアスペクト比（以下、「Ａ／Ｒ比」（Aspect Ratio）という。）が高くなっている。そこで、高いＡ／Ｒ比を有する凹部を形成するエッチングにおいて、マスクの下のエッチング対象膜を垂直に形成することが提案されている（例えば、特許文献１〜３を参照）。
【先行技術文献】
【特許文献】
【０００３】
【特許文献１】特表２００６−５１４７８３号公報
【特許文献２】特表２０１５−５３０７４２号公報
【特許文献３】特開２０１３−２１９０９９号公報
【発明の概要】
【発明が解決しようとする課題】
【０００４】
しかしながら、上記エッチングでは、マスクの選択比を高める必要がある。そのため、エッチング工程の間にマスクの上部に有機膜を堆積させる工程を実行することが行われている。ところが、その際、プラズマ中のイオンやラジカルの分布によりマスクの間口付近に有機膜が堆積し、間口が塞がってしまい、エッチングができなくなることがある。
【０００５】
上記課題に対して、一側面では、本発明は、被処理体に形成された凹部のパターンの上部に有機膜を異方的に堆積させることを目的とする。
【課題を解決するための手段】
【０００６】
上記課題を解決するために、一の態様によれば、チャンバの内部に炭素含有ガスと不活性ガスとを含む第１のガスを供給する第１の工程と、プラズマ生成用の高周波電力を印加して、供給した前記第１のガスからプラズマを生成し、被処理体に形成された所定膜のパターンの上に有機物を含む化合物を堆積させる第２の工程と、を有し、前記第１のガスのうち前記不活性ガスに対する前記炭素含有ガスの比率は、１％以下である、処理方法が提供される。
【発明の効果】
【０００７】
一の側面によれば、被処理体に形成された凹部のパターンの上部に有機膜を異方的に堆積させることができる。
【図面の簡単な説明】
【０００８】
【図１】一実施形態に係るプラズマ処理装置の一例を示す図。
【図２】一実施形態に係るマスクの開口の閉塞を説明するための図。
【図３】一実施形態に係る被処理体のサンプルの一例を説明するための図。
【図４】一実施形態に係る堆積物の測定箇所の定義を説明するための図。
【図５】一実施形態に係る堆積工程におけるガスの希釈化の実験結果の一例を示す図。
【図６】図５の実験結果を示すグラフ。
【図７】一実施形態に係る堆積工程におけるガスの希釈化の実験結果の一例を示す図。
【図８】一実施形態に係る堆積工程における温度依存の実験結果の一例を示す図。
【図９】一実施形態に係る堆積工程における圧力依存の実験結果の一例を示す図。
【図１０】一実施形態に係る堆積工程における希釈ガス依存の実験結果の一例を示す図。
【図１１】一実施形態に係る堆積工程におけるＬＦ依存の実験結果の一例を示す図。
【図１２】一実施形態に係る堆積工程における希釈度の実験結果をまとめた図。
【図１３】一実施形態に係る堆積工程における各種パラメータ依存をまとめた図。
【図１４】一実施形態に係る堆積工程における実験結果をまとめたグラフ。
【図１５】一実施形態に係るエッチング処理の一例を示すフローチャート。
【図１６】一実施形態に係る他のプラズマ処理装置の概略構成を説明するための図。
【発明を実施するための形態】
【０００９】
以下、本発明を実施するための形態について図面を参照して説明する。なお、本明細書及び図面において、実質的に同一の構成については、同一の符号を付することにより重複した説明を省く。
【００１０】
［プラズマ処理装置］
まず、本発明の一実施形態に係るプラズマ処理装置の構成の一例について、図１を参照しながら説明する。図１は、本実施形態に係るプラズマ処理装置の構成の一例を示す。本実施形態では、プラズマ処理装置として誘導結合型プラズマ(ＩＣＰ:Inductively Coupled Plasma)処理装置５を例に挙げて説明する。
【００１１】
この誘導結合型プラズマ処理装置５は、平面コイル形のＲＦアンテナを用いるプラズマ処理装置として構成されており、たとえばアルミニウムまたはステンレス鋼等の金属製の円筒型真空チャンバ（以下、「チャンバ」という。）１０を有している。チャンバ１０は、接地されている。
【００１２】
チャンバ１０内の下部中央には、被処理基板としてたとえば半導体ウェハ（以下、「ウェハＷ」という。）を載置する円板状のステージ１２が高周波電極を兼ねる基板保持台として水平に配置されている。このステージ１２は、たとえばアルミニウムからなり、チャンバ１０の底から垂直上方に延びる絶縁性筒状支持部１４に支持されている。
【００１３】
絶縁性筒状支持部１４の外周に沿ってチャンバ１０の底から垂直上方に延びる導電性筒状支持部１６とチャンバ１０の内壁との間に環状の排気路１８が形成されている。排気路１８の上部または入口には環状のバッフル板２０が取り付けられ、底部に排気ポート２２が設けられている。チャンバ１０内のガスの流れをステージ１２上のウェハＷに対して軸対象に均一にするためには、排気ポート２２を円周方向に等間隔で複数設ける構成が好ましい。
【００１４】
各排気ポート２２には排気管２４を介して排気装置２６が接続されている。排気装置２６は、ターボ分子ポンプなどの真空ポンプを有しており、チャンバ１０内のプラズマ処理空間を所望の真空度まで減圧することができる。チャンバ１０の側壁の外には、ウェハＷの搬入出口２７を開閉するゲートバルブ２８が取り付けられている。
【００１５】
ステージ１２には、第２の高周波電源３０が整合器３２および給電棒３４を介して電気的に接続されている。この第２の高周波電源３０は、ウェハＷに引き込むイオンのエネルギーを制御するために適した一定周波数（例えば４００ｋＨｚ）のバイアス引き込み用の高周波電力ＬＦを可変のパワー（例えば、４０Ｗ〜２０００Ｗ）で出力できるようになっている。整合器３２は、第２の高周波電源３０側のインピーダンスと負荷（主にステージ、プラズマ、チャンバ）側のインピーダンスの間で整合をとるためのリアクタンス可変の整合回路を収容している。その整合回路の中に自己バイアス生成用のブロッキングコンデンサが含まれている。
【００１６】
ステージ１２の上面には、ウェハＷを静電吸着力で保持するための静電チャック３６が設けられ、静電チャック３６の外周側にはウェハＷの周囲を環状に囲むフォーカスリング３８が設けられている。静電チャック３６は導電膜からなる電極３６ａを一対の絶縁膜３６ｂ，３６ｃの間に挟み込んだ構成を有する。電極３６ａには高圧の直流電源４０がスイッチ４２および被覆線４３を介して電気的に接続されている。直流電源４０から供給される直流電流により、静電力でウェハＷを静電チャック３６上に吸着保持することができる。
【００１７】
ステージ１２の内部には、たとえば円周方向に延びる環状の冷媒室または冷媒流路４４が設けられている。この冷媒流路４４には、チラーユニットより配管４６，４８を介して所定温度の冷媒たとえば冷却水ｃｗが循環供給される。冷媒の温度によって静電チャック３６上のウェハＷの処理中の温度を制御できる。これと関連して、伝熱ガス供給部からの伝熱ガスたとえばＨｅガスが、ガス供給管５０を介して静電チャック３６の上面とウェハＷの裏面との間に供給される。また、ウェハＷのローディング／アンローディングのためにステージ１２を垂直方向に貫通して上下移動可能なリフトピンおよびその昇降機構等も設けられている。
【００１８】
次に、この誘導結合型プラズマ処理装置５においてプラズマ生成に関係する各部の構成を説明する。チャンバ１０の天井には、ステージ１２から比較的大きな距離間隔を隔てて、たとえば石英板からなる円形の誘電体窓５２が気密に取り付けられている。この誘電体窓５２の上には、チャンバ１０またはステージ１２と同軸に、コイル状のＲＦアンテナ５４が水平に配置されている。このＲＦアンテナ５４は、好ましくは、たとえばスパイラルコイルまたは各一周内で半径一定の同心円コイルの形態を有しており、絶縁体からなるアンテナ固定部材によって誘電体窓５２の上に固定されている。
【００１９】
ＲＦアンテナ５４の一端には、第１の高周波電源５６の出力端子が整合器５８および給電線６０を介して電気的に接続されている。ＲＦアンテナ５４の他端は、アース線を介して電気的にグランド電位に接続されている。
【００２０】
第１の高周波電源５６は、高周波放電によるプラズマの生成に適した周波数（例えば２７ＭＨｚ以上）のプラズマ生成用の高周波ＨＦを可変のパワー（例えば、２００Ｗ〜１４００Ｗ）で出力できるようになっている。整合器５８は、第１の高周波電源５６側のインピーダンスと負荷（主にＲＦアンテナ、プラズマ、補正コイル）側のインピーダンスとの間で整合をとるためのリアクタンス可変の整合回路を収容している。
【００２１】
チャンバ１０内の処理空間に所定のガスを供給するためのガス供給部は、誘電体窓５２より幾らか低い位置でチャンバ１０の側壁の中（または外）に設けられる環状のマニホールドまたはバッファ部６２と、円周方向に等間隔でバッファ部６２からプラズマ生成空間Ｓに臨む多数の側壁ガス吐出孔６４と、ガス供給源６６からバッファ部６２まで延びるガス供給管６８とを有している。ガス供給源６６は、流量制御器および開閉弁を含んでいる。
【００２２】
制御部７４は、たとえばマイクロコンピュータを含み、この誘導結合型プラズマ処理装置５内の各部たとえば排気装置２６、第２の高周波電源３０，第１の高周波電源５６、整合器３２，整合器５８、静電チャック用のスイッチ４２、ガス供給源６６、チラーユニット、伝熱ガス供給部等の個々の動作および装置全体の動作を制御する。
【００２３】
この誘導結合型プラズマ処理装置５において、エッチングを行うには、先ずゲートバルブ２８を開状態にして加工対象のウェハＷをチャンバ１０内に搬入して、静電チャック３６の上に載置する。そして、ゲートバルブ２８を閉めてから、ガス供給源６６よりガス供給管６８、バッファ部６２および側壁ガス吐出孔６４を介して所定のガスを所定の流量および流量比でチャンバ１０内に導入し、排気装置２６によりチャンバ１０内の圧力を設定値にする。さらに、第１の高周波電源５６をオンにしてプラズマ生成用の高周波ＨＦを所定のＲＦパワーで出力させ、整合器５８，給電線６０を介してＲＦアンテナ５４に高周波ＨＦの電力を供給する。
【００２４】
一方、イオン引き込み制御用の高周波ＬＦのパワーを印加する場合には、第２の高周波電源３０をオンにして高周波電力ＬＦを出力させ、この高周波ＬＦのパワーを整合器３２および給電棒３４を介してステージ１２に印加する。イオン引き込み制御用の高周波を印加しない条件の場合には、高周波電力ＬＦを０Ｗにする。
【００２５】
ステージ１２の上面には、ウェハＷを静電吸着力で保持するための静電チャック３６が設けられ、静電チャック３６の外周側にはウェハＷの周囲を環状に囲むフォーカスリング３８が設けられている。静電チャック３６は導電膜からなる電極３６ａを一対の絶縁膜３６ｂ，３６ｃの間に挟み込んだものであり、電極３６ａには高圧の直流電源４０がスイッチ４２および被覆線４３を介して電気的に接続されている。直流電源４０から供給される直流電流により、静電力でウェハＷを静電チャック３６上に吸着保持することができる。
【００２６】
ステージ１２の内部には、たとえば円周方向に延びる環状の冷媒室または冷媒流路４４が設けられている。この冷媒流路４４には、チラーユニットより配管４６，４８を介して所定温度の冷媒たとえば冷却水ｃｗが循環供給される。冷媒の温度によって静電チャック３６上のウェハＷの処理中の温度を制御できる。これと関連して、伝熱ガス供給部からの伝熱ガスたとえばＨeガスが、ガス供給管５０を介して静電チャック３６の上面とウェハＷの裏面との間に供給される。また、ウェハＷのローディング／アンローディングのためにステージ１２を垂直方向に貫通して上下移動可能なリフトピンおよびその昇降機構等も設けられている。
【００２７】
側壁ガス吐出孔６４より吐出された所定のガスは、誘電体窓５２の下の処理空間に均一に拡散する。ＲＦアンテナ５４を流れる高周波ＨＦの電流によって、磁力線が誘電体窓５２を貫通してチャンバ内のプラズマ生成空間Ｓを通過するようなＲＦ磁界がＲＦアンテナ５４の周りに発生し、このＲＦ磁界の時間的な変化によって処理空間の方位角方向にＲＦ誘導電界が発生する。そして、この誘導電界によって方位角方向に加速された電子が、供給されたガスの分子や原子と電離衝突を起こし、ドーナツ状のプラズマが生成される。このドーナツ状プラズマのラジカルやイオンは広い処理空間で四方に拡散し、ラジカルは等方向に降り注ぐようにして、イオンは直流バイアスに引っぱられるようにして、ウェハＷの上面（被処理面）に供給される。こうしてウェハＷの被処理面にプラズマの活性種が化学反応と物理反応をもたらし、被加工膜が所望のパターンにエッチングされる。
【００２８】
この誘導結合型プラズマ処理装置５は、上記のようにＲＦアンテナ５４に近接する誘電体窓５２の下で誘導結合のプラズマをドーナツ状に生成し、このドーナツ状のプラズマを広い処理空間内で分散させて、ステージ１２の近傍（つまりウェハＷ上）にてプラズマの密度を平均化するようにしている。ここで、ドーナツ状プラズマの密度は、誘導電界の強度に依存し、ひいてはＲＦアンテナ５４に供給される高周波ＨＦのパワー（より正確にはＲＦアンテナ５４を流れる電流）の大きさに依存する。すなわち、高周波ＨＦのパワーを高くするほど、ドーナツ状プラズマの密度が高くなり、プラズマの拡散を通じてステージ１２近傍でのプラズマの密度は全体的に高くなる。一方で、ドーナツ状プラズマが四方（特に径方向）に拡散する形態は主にチャンバ１０内の圧力に依存し、圧力を低くするほど、チャンバ１０の中心部にプラズマが多く集まって、ステージ１２近傍のプラズマ密度分布が中心部で盛り上がる傾向がある。また、ＲＦアンテナ５４に供給される高周波ＨＦのパワーやチャンバ１０内に導入される処理ガスの流量等に応じてドーナツ状プラズマ内のプラズマ密度分布が変わることもある。
【００２９】
ここで「ドーナツ状のプラズマ」とは、チャンバ１０の径方向内側（中心部）にプラズマが立たず径方向外側にのみプラズマが立つような厳密にリング状のプラズマに限定されず、むしろチャンバ１０の径方向内側より径方向外側のプラズマの体積または密度が大きいことを意味する。また、処理ガスに用いるガスの種類やチャンバ１０内の圧力の値等の条件によっては、ここで云う「ドーナツ状のプラズマ」にならない場合もある。
【００３０】
制御部７４は、図示しないＣＰＵ，ＲＯＭ（Read Only Memory）、ＲＡＭ（Random Access Memory）を有し、ＲＡＭなどに記憶されたレシピに設定された手順に従い、本実施形態に係る誘導結合型プラズマ処理装置５の各部を制御し、これにより、本実施形態に係るエッチングを制御する。
【００３１】
［マスクの閉塞／凹部の先細り］
図２の（ａ）に示すように、エッチング対象膜８の上に形成されたマスク９のパターンにエッチング対象膜８をエッチングする際、マスク選択比を向上させるために、エッチング工程の間にマスク９に保護膜を形成する工程（以下、「堆積工程」ともいう。）を行うことがある。特に、高いＡ／Ｒ比を有する凹部を形成するエッチングにおいて、マスク選択比を向上させることは重要である。
【００３２】
堆積工程では、図２の（ｂ）や（ｃ）に示すように、マスク９の間口の閉塞やエッチング対象膜８に形成された凹部の先細り（エッチング形状が垂直でない）がないように有機物を含む化合物（有機膜Ｒ）を、主にマスク９の上面に堆積させ、側面にはなるべく堆積させたくない。以下、マスク９を一例とする所定膜の上面が所定膜の側面よりも厚くなるように有機膜Ｒを堆積させることを「異方的な堆積」ともいう。
【００３３】
しかしながら、実際の堆積工程では、有機膜Ｒはマスク９の縦方向だけでなく横方向にも付着するため、図２（ｃ）に示すように、有機膜Ｒによってマスク９の間口が閉塞され、エッチングができなくなってしまうことがある。
【００３４】
そこで、かかる構成の本実施形態に係る誘導結合型プラズマ処理装置５では、所定膜の凹部のパターンの上部に膜を異方的に堆積させる。以下、所定膜に有機膜Ｒを異方的に堆積する、本実施形態に係る処理方法について説明する。
【００３５】
［サンプル］
図３に、本実施形態に係る処理方法を実行するために使用される被処理体のサンプルの一例を示す。使用したサンプル例のうち、（ａ）「ＳｉＮ  Ｌ＆Ｓ」のサンプルでは、パターン化されたＳｉＮ膜１のＬ＆Ｓ（ライン＆スペース）がウェハＷ上に形成されている。ＳｉＮ膜１にパターン化された凹部のＡ／Ｒ比は概ね３〜５であり、一律ではない。
【００３６】
（ｂ）「Ｈｉｇｈ  Ａ／Ｒ」のサンプルでは、Ａ／Ｒ比が１８の凹部が形成されたＳｉＮ膜１のＬ＆ＳがウェハＷ上に形成されている。（ｃ）「Ｏｒｇａｎｉｃ  Ｌ＆Ｓ」のサンプルでは、Ａ／Ｒ比が２のＬ＆Ｓが形成されている。「Ｏｒｇａｎｉｃ  Ｌ＆Ｓ」のサンプルでは、下地膜はＳｉＯ２膜２であり、その上に有機膜３及びＳｉ−ＡＲＣ（Anti Reflective Coating：反射防止膜）４が積層されている。
【００３７】
エッチングでは、マスクの選択比を高める必要がある。そのため、本実施形態に係るエッチング処理では、エッチング工程とマスクの上部に有機膜を堆積させる工程とが繰り返し実行される。
【００３８】
なお、本サンプルのＳｉＮ膜１のパターンにマスクは存在しない。この場合、ＳｉＮ膜１の上部がマスクとして機能する。よって、ＳｉＮ膜１の間口を閉塞しないようにＳｉＮ膜１の上部に異方性の高い有機膜Ｒの堆積を行う必要がある。上記サンプルのＳｉＮ膜１及びＳｉ−ＡＲＣ４は、有機膜Ｒを堆積させる所定膜の一例である。
【００３９】
［実験：測定箇所］
以下では、有機膜Ｒの堆積工程における実験結果の一例について説明しながら、異方性の高い有機膜Ｒの堆積を行うための好ましい成膜条件に付いて考察する。実験結果を説明するために、まず、図４を参照して各膜の測定箇所を定義する。図４（ａ）は、ＳｉＮ膜１の初期状態を示す。ＳｉＮ膜１には凹部が形成されている。凹部の間のＳｉＮ膜１の横方向の幅をＣＤ（Critical Dimension）といい、初期状態におけるＣＤの最大値を「初期ＭａｘＣＤ」と定義する。
【００４０】
図４（ｂ）は、堆積工程によりＳｉＮ膜１のパターンの上部に有機膜Ｒが堆積した後の状態を示す。ＳｉＮ膜１の上部に形成された有機膜Ｒを含む膜の横方向の幅を「ＭａｘＣＤ」と定義する。ΔＨは、以下の式で算出される変数である。
ΔＨ＝（ＭａｘＣＤ−初期ＭａｘＣＤ）／２
また、ＳｉＮ膜１の上部に形成された有機膜Ｒの高さをΔＶ（Top Depo High）と定義する。すなわち、ΔＶは、ＳｉＮ膜１の上面から有機膜Ｒの先端部までの高さを表す。
【００４１】
［実験１：ガスの希釈度］
本実施形態に係る堆積工程における、ガスの希釈度について実験した実験１の結果について、図５を参照して説明する。実験１の堆積条件１は以下である。
【００４２】
＜堆積条件１＞
圧力：１００ｍＴ（１３．３３Ｐａ）
ガス種：Ｃ４Ｆ６／Ａｒ
希釈度：０．４％、０．６％、１％
（希釈度は、Ａｒガスの流量に対するＣ４Ｆ６ガスの流量の比率を示す）
ステージ温度：−５０℃
成膜時間：６００ｓｅｃ、３００ｓｅｃ
高周波ＨＦのパワー：３００Ｗ
高周波ＬＦのパワー：０Ｗ
実験１の結果によれば、「ＳｉＮ  Ｌ＆Ｓ」、「Ｈｉｇｈ  Ａ／Ｒ」、「Ｏｒｇａｎｉｃ  Ｌ＆Ｓ」のいずれのサンプルの場合においても、希釈度が０．４％、０．６％、１％のいずれの場合についても、ＳｉＮ膜１の上部及びＳｉ−ＡＲＣ４の上部にΔＶにて示す厚さの有機膜Ｒが積層されている。また、ＳｉＮ膜１及びＳｉ−ＡＲＣ４に形成された凹部の間口は閉塞されていない。ＭａｘＣＤ／ΔＶで示される値が、全てのサンプルの０．４％、０．６％、１％の希釈度のすべてにおいて１未満である。つまり、堆積条件１では、ＳｉＮ膜１及びＳｉ−ＡＲＣ４の上面が各膜の側面よりも厚くなる、異方的な堆積が行われていることがわかる。
【００４３】
図６は、実験１の結果をグラフで示した図である。図６の（ａ）のグラフでは、横軸のΔＶと縦軸のＭａｘＣＤとの間に線形性があることがわかる。つまり、有機膜Ｒの縦方向の堆積が増えると、有機膜Ｒの横方向の堆積も増え、幅が太くなることがわかる。図６の（ｂ）のグラフでは、膜の異方性の程度と希釈度との関係を示す。このグラフは、縦軸のＭａｘＣＤ／ΔＶで示される値が、横軸で示す、全てのサンプルの全ての希釈度において１未満である。よって、全てのサンプルの全ての希釈度において縦方向の膜の堆積が横方向の膜の堆積よりも多い異方的な堆積が行われていることがわかる。また、希釈度が低いほどＭａｘＣＤ／ΔＶの幅が小さくなる傾向があり、有機膜Ｒの堆積の際の異方性が強くなる。ただし、ＭａｘＣＤ／ΔＶの最小値は０．７０５であり、有機膜Ｒが堆積したときの側面形状は垂直にはなっていないことがわかる。
【００４４】
［実験２：ガスの希釈度］
次に、本実施形態に係る堆積工程における、更にガスの希釈度を大きくして実験した実験１の結果について、図７を参照して説明する。本実験では、サンプルに「ＳｉＮ  Ｌ＆Ｓ」を用いた。実験２の堆積条件２は以下である。
【００４５】
＜堆積条件２＞
圧力：１００ｍＴ（１３．３３Ｐａ）
ガス種：Ｃ４Ｆ６／Ａｒ
希釈度：１％、１０％、５０％
ステージ温度：−５０℃
成膜時間：３００ｓｅｃ、３０ｓｅｃ、２０ｓｅｃ
高周波ＨＦのパワー：３００Ｗ
高周波ＬＦのパワー：０Ｗ
実験２の結果によれば、希釈度が１％の場合、ＳｉＮ膜１の上面にΔＶにて示す高さの有機膜Ｒが積層されている。また、ＳｉＮ膜１の間口は閉塞されておらず、ＭａｘＣＤ／ΔＶで示される値は１未満である。つまり、堆積条件２では、希釈度が１％の場合、異方的な堆積が行われていることがわかる。
【００４６】
一方、希釈度が１０％、５０％の場合、ＳｉＮ膜１の間口が閉塞されている。つまり、堆積条件２では、希釈度が１０％、５０％の場合、縦方向の膜の堆積と横方向の膜の堆積とがほぼ同じ程度、又は横方向の膜の堆積が縦方向の膜の堆積よりも多い「等方的な堆積」が行われていることがわかる。
【００４７】
以上から、堆積工程で供給されるガスがＡｒガス及びＣ４Ｆ６ガスである場合、Ａｒガスに対するＣ４Ｆ６ガスの比率（希釈度）は１％以下であることが必要なことがわかる。
【００４８】
［実験３：温度依存］
次に、本実施形態に係る堆積工程における温度依存について、図８を参照して説明する。実験３の堆積条件３は、上記に示した実験２の堆積条件２とステージ温度以外は同一条件である。ステージ温度は、堆積条件３では２０℃に設定される点で−５０℃に設定される堆積条件２と異なる。本実験では、サンプルに「ＳｉＮ  Ｌ＆Ｓ」を用いた。また、本実験では希釈度が５０％の場合の結果は得られなかった。
【００４９】
実験３の結果によれば、希釈度が１％の場合、ＳｉＮ膜１の間口は閉塞されておらず、ＭａｘＣＤ／ΔＶで示される値は１未満である。つまり、堆積条件３では、希釈度が１％の場合、異方的な堆積が行われていることがわかる。
【００５０】
一方、希釈度が１０％の場合、ＳｉＮ膜１の間口が閉塞されている。また、ＭａｘＣＤ／ΔＶで示される値は∞である。つまり、堆積条件３では、希釈度が１０％の場合、等方的な堆積が行われていることがわかる。
【００５１】
以上の実験２，３から、堆積工程において供給されるガスがＡｒガス及びＣ４Ｆ６ガスである場合、Ａｒガスに対するＣ４Ｆ６ガスの比率（希釈度）は１％以下であれば、ステージの温度の条件は必須の条件にはならないことがわかる。
【００５２】
［実験４：圧力依存］
次に、本実施形態に係る堆積工程における圧力依存について、図９を参照して説明する。本実験では、サンプルに「Ｏｒｇａｎｉｃ  Ｌ＆Ｓ」を用いた。実験４の堆積条件４は以下である。
【００５３】
＜堆積条件４＞
チャンバ内圧力：１０ｍＴ（１．３３Ｐａ）、１００ｍＴ、５００ｍＴ（６６．５Ｐａ）
ガス種：Ｃ４Ｆ６／Ａｒ
希釈度：１％、０．４％
ステージ温度：−５０℃
成膜時間：１８０ｓｅｃ、３００ｓｅｃ、６００ｓｅｃ
高周波ＨＦのパワー：３００Ｗ
高周波ＬＦのパワー：０Ｗ
実験４の結果によれば、希釈度が１％の場合、圧力が１０ｍＴのとき、ＭａｘＣＤ／ΔＶの値は１よりも大きく、１００ｍＴの場合、ＭａｘＣＤ／ΔＶの値は１未満である。また、希釈度が０．４％の場合、圧力が１００ｍＴ及び５００ｍＴのいずれにおいても、ＭａｘＣＤ／ΔＶの値は１未満である。以上から、希釈度が１％以下の場合、チャンバ内を１００ｍＴ以上の圧力にすると、異方的な堆積が行われることがわかる。また、圧力が高くなるほど異方的な堆積が行われ易いことがわかる。
【００５４】
［実験５：希釈ガス依存］
次に、本実施形態に係る堆積工程における希釈ガス依存について、図１０を参照して説明する。本実験では、サンプルに「Ｏｒｇａｎｉｃ  Ｌ＆Ｓ」を用いた。実験５の堆積条件５は以下である。
【００５５】
＜堆積条件５＞
チャンバ内圧力：１００ｍＴ
ガス種：Ｃ４Ｆ６／Ａｒ、Ｃ４Ｆ６／Ｋｒ
希釈度：１％
ステージ温度：−５０℃
成膜時間：３００ｓｅｃ
高周波ＨＦのパワー：３００Ｗ
高周波ＬＦのパワー：０Ｗ
実験５の結果によれば、希釈ガスにＡｒガスを用いた場合、ＭａｘＣＤ／ΔＶの値は１未満であるのに対して、希釈ガスにＫｒガスを用いた場合、ＭａｘＣＤ／ΔＶの値は１よりも大きくなっている。以上から、Ｃ４Ｆ６ガスを希釈するガスとしては、Ａｒガスを使用することが好ましいことがわかる。
【００５６】
［実験６：ＬＦ依存］
次に、本実施形態に係る堆積工程におけるＬＦ依存について、図１１を参照して説明する。本実験では、サンプルに「Ｏｒｇａｎｉｃ  Ｌ＆Ｓ」を用いた。実験６の堆積条件６は以下である。
【００５７】
＜堆積条件６＞
チャンバ内圧力：１００ｍＴ
ガス種：Ｃ４Ｆ６／Ａｒ
希釈度：０．４％
ステージ温度：−５０℃
成膜時間：６００ｓｅｃ
高周波ＨＦのパワー：３００Ｗ
高周波ＬＦのパワー：０Ｗ、４０Ｗ
実験６の結果によれば、高周波ＬＦのパワーを印加しない場合、ＭａｘＣＤ／ΔＶの値は１未満であるのに対して、４０Ｗの高周波ＬＦのパワーを印加した場合、ＭａｘＣＤ／ΔＶの値は１よりも大きくなっている。以上から、高周波ＬＦのパワーは印加しない方が好ましい。これは、Ｃ４Ｆ６ガス及びＡｒガスから生成したプラズマ中のイオンの働きが高周波ＬＦのパワーを印加することにより増すと、有機膜Ｒが等方的に堆積され易くなるためである。
【００５８】
［まとめ］
本実施形態に係る堆積工程を実行した場合の実験結果のまとめについて、図１２〜図１４を参照して説明する。図１２は、本実施形態に係る堆積工程における希釈度の実験結果をまとめた図である。
【００５９】
図１２の上段は、堆積工程を実行する際にステージ温度を−５０℃に設定した場合、下段は、ステージ温度を２０℃に設定した場合の希釈度と堆積する有機膜の測定結果の一例が示されている。これによれば、ステージ温度が−５０℃又は２０℃にかかわらず、希釈度が１％以下であれば、ＭａｘＣＤ／ΔＶの値は１未満になり、有機膜Ｒの異方的な堆積が行われることがわかる。
【００６０】
図１３は、本実施形態に係る堆積工程を実行する際の各種のパラメータ依存をまとめた図である。図１３の（ａ）は、サンプルが「ＳｉＮ  Ｌ＆Ｓ」の場合の希釈度と、堆積する有機膜のＭａｘＣＤ／ΔＶの結果の関係を示すグラフである。図１３の（ｂ）は、サンプルが「Ｏｒｇａｎｉｃ  Ｌ＆Ｓ」の場合の希釈度と、堆積する有機膜のＭａｘＣＤ／ΔＶの結果の関係を示すグラフである。また、右側のグラフは、左側のグラフのうち、希釈度が１０％以下の部分を拡大して示したグラフである。
【００６１】
これによれば、サンプルが「ＳｉＮ  Ｌ＆Ｓ」の場合及び「Ｏｒｇａｎｉｃ  Ｌ＆Ｓ」の場合のいずれも、希釈度が１％以下の場合にＭａｘＣＤ／ΔＶが１未満になり、有機膜Ｒを異方的に堆積させることができる。これにより、凹部の上部にてマスクが閉塞することを防ぎながら、有機膜Ｒによりマスクの選択比を向上させ、２以上のＡ／Ｒ比のエッチング対象膜をエッチングすることができる。
【００６２】
図１３の下段の右のグラフでは、希釈度が１％以下の場合であっても、ＭａｘＣＤ／ΔＶが１以上になる条件があることを示す。具体的には、希釈ガスにＫｒガスを用いた場合、高周波ＬＦを印加した場合、及びチャンバ内の圧力を１０ｍＴ以下にした場合には、有機膜Ｒが等方的に堆積されることがわかる。よって、希釈ガスにはＡｒガスを用いることが好ましい。また、高周波ＬＦは印加しない方が好ましい。更に、チャンバ内の圧力は１００ｍＴ以上にすることが好ましい。これにより、有機膜Ｒを異方的に堆積することができる。
【００６３】
図１４は、各サンプルに対する本実施形態に係る堆積工程の２０℃の実験結果をまとめたグラフである。図１４の上段は、時間に対するΔＶの累積値を示す。中段は、時間に対するＭａｘＣＤを示す。下段は、時間に対する有機膜Ｒの堆積量の場所依存を示す。
【００６４】
これによれば、図１４の上段及び中段のグラフに示すように、ｙ関数で示すｘの傾きが堆積速度であり、いずれのサンプルにおいてもＡｒガスに対するＣ４Ｆ６ガスの割合を上げると（つまり希釈度が高くなると）、有機膜Ｒの縦方向の堆積速度（ΔＶ  ａｍｏｕｎｔ）及び有機膜の幅方向の堆積速度（ＭａｘＣＤ）が高くなっている。
【００６５】
また、図１４の下段のグラフに示すように、有機膜Ｒの縦方向の堆積速度（ΔＶ）、有機膜Ｒの底部における堆積速度（Ｂｔｍ  ｄｅｐｏ  ａｍｏｕｎｔ）及び有機膜の幅方向の堆積速度（ＭａｘＣＤ）によって堆積速度が変わることがわかる。つまり、有機膜Ｒが堆積する場所によって堆積速度が変わることがわかる。
【００６６】
［エッチング処理］
以上に説明した堆積工程を含む本実施形態に係るエッチング処理について、図１５を参照して説明する。図１５は、本実施形態に係るエッチング処理の一例を示すフローチャートである。本実施形態に係るエッチング処理では、有機膜をマスク上に異方的に堆積させながら、エッチング対象膜をエッチングする。エッチング対象膜の一例としては、ＳｉＮ膜やＳｉＯ２膜が挙げられる。
【００６７】
以下では、ＳｉＮ膜やＳｉＯ２膜の上部がマスクとして機能する。つまり、マスクとして機能するＳｉＮ膜１及びＳｉ−ＡＲＣ４は、有機膜を堆積させる所定膜の一例である。本処理は、図１に示す制御部７４により制御される。
【００６８】
図１５の処理が開始されると、制御部７４は、Ｃ４Ｆ６ガス及びＡｒガスを含む第１のガスをチャンバ１０の内部に供給する（ステップＳ１０：第１の工程）。このとき、制御部７４は、Ａｒガスに対するＣ４Ｆ６ガスの比率、すなわち、希釈度を１％以下に制御する（ステップＳ１０）。制御部７４は、プラズマ生成用の高周波ＨＦの電力を上部電極に印加し、バイアス引き込み用の高周波ＬＦの電力を印加しないように制御する（ステップＳ１０）。
【００６９】
次に、制御部７４は、第１のガスからプラズマを生成し、有機膜を異方的に堆積させる（Ｓ１２：第２の工程）。第２の工程では、所定膜の上面がその側面よりも厚くなるように有機膜を堆積させることができる。例えば、有機膜の堆積によるＳｉＮ膜やＳｉＯ２膜の横方向のＣＤ寸法からの増加分よりも有機膜の堆積によるＳｉＮ膜やＳｉＯ２膜の高さ方向の厚みの増加分のほうが大きくなるように有機膜を堆積させることができる。
【００７０】
次に、制御部７４は、フロロカーボンガスを含む第２のガスをチャンバ１０の内部に供給する（ステップＳ１４：第３の工程）。このとき、制御部７４は、プラズマ生成用の高周波ＨＦの電力の印加とともに、バイアス引き込み用の高周波ＬＦの電力を印加してもよい。
【００７１】
次に、制御部７４は、供給した第２のガスからプラズマを生成し、エッチング対象膜をエッチングする（ステップＳ１６：第４の工程）。次に、制御部７４は、所定回数繰り返したかを判定し（ステップＳ１８）、所定回数繰り返されるまでステップＳ１０〜Ｓ１８の処理を繰り返し、所定回数繰り返したとき、本処理を終了する。
【００７２】
これによれば、マスクの凹部のパターンの上部に有機膜を異方的に堆積させることで、マスク選択比を向上させつつ、凹部の開口を閉塞することを防ぎ、エッチングを実行することができる。なお、本実施形態では、有機膜の堆積工程とエッチング工程とを所定回数繰り返すこととしたが、これに限らず、堆積工程とエッチング工程とを１回だけ行うようにしてもよい。
【００７３】
第１のガスは、炭素含有ガスと不活性ガスとを含むガスであればよい。炭素含有ガスは、フロロカーボンガス、ハイドロカーボンガス、ハイドロフロロカーボンガス、アルコールのいずれかであってもよい。より具体的には、炭素含有ガスは、Ｃ４Ｆ６，Ｃ５Ｆ８、Ｃ４Ｆ８、ＩＰＡ（Ｃ３Ｈ８Ｏ）のいずれかであってもよい。ＩＰＡは第２級アルコールの１種である。第２のガスは、Ｃ４Ｆ６ガスとＡｒガスとＯ２ガスとを含んでもよい。
【００７４】
［他のプラズマ処理装置］
本実施形態に係るエッチング処理は、図１のＩＣＰ装置に限らない。例えば、本実施形態に係るエッチング処理は、図１６に示す上下部２周波ＣＣＰ（Capacitively Coupled Plasma)装置にて実行されてもよい。図１６に示す上下部２周波ＣＣＰ装置は、プラズマ生成用の高周波ＨＦの電力を上部電極側に印加する容量結合型プラズマ処理装置の一例である。
【００７５】
図１６に示すように、上下部２周波ＣＣＰ装置では、チャンバ１１０の内部にステージ１２０が設けられている。ステージ１２０の上面には、ウェハＷを静電吸着力で保持するための静電チャック１２１が設けられ、静電チャック１２１の半径方向外側にウェハＷの周囲を環状に囲むフォーカスリング１２２が設けられている。
【００７６】
チャンバ１０の内壁とステージ１２０の側壁の間には、環状の排気路が形成され、この排気路の上部または入口に環状のバッフル板１３０が取り付けられている。ステージ１２０には、第２の高周波電源１５０が接続されている。第２の高周波電源１５０は、例えば４００ｋＨｚのバイアス引き込み用の高周波ＬＦのパワーを印加することができる。ただし、本実施形態に係るエッチング処理では、バイアス引き込み用の高周波ＬＦのパワーは印加しない。
【００７７】
ステージ１２０と対向するチャンバ１１０の天井部は上部電極１６０として機能する。第１の高周波電源１４０は、上部電極１６０に接続されている。第１の高周波電源１４０は、例えば６０ＭＨｚのプラズマ生成用の高周波ＨＦのパワーを印加する。
【００７８】
以上に説明したプラズマ処理装置を用いて、ウェハＷに形成された凹部のパターンの上部に有機膜を異方的に堆積させることができる。なお、本実施形態に係るエッチング処理を実行するプラズマ処理装置は、マイクロ波プラズマ処理装置及びリモートプラズマ装置のいずれかであってもよい。
【００７９】
以上、処理方法及びプラズマ処理装置を上記実施形態により説明したが、本発明にかかる処理方法及びプラズマ処理装置は上記実施形態に限定されるものではなく、本発明の範囲内で種々の変形及び改良が可能である。上記複数の実施形態に記載された事項は、矛盾しない範囲で組み合わせることができる。
【００８０】
本明細書では、被処理体の一例としてウェハＷを挙げて説明したが、被処理体はこれに限らず、ＬＣＤ（Liquid Crystal Display）、ＦＰＤ（Flat Panel Display）に用いられる各種基板や、フォトマスク、ＣＤ基板、プリント基板であっても良い。
【符号の説明】
【００８１】
１：ＳｉＮ膜
２：ＳｉＯ２膜
３：有機膜
４：Ｓｉ−ＡＲＣ
５：誘導結合型プラズマ処理装置
１０：チャンバ
１２：ステージ
２０：バッフル板
２６：排気装置
３０：第２の高周波電源
３６：静電チャック
４０：直流電源
４４：冷媒流路
５２：誘電体窓
５４：ＲＦアンテナ
５６：第１の高周波電源
６４：側壁ガス吐出孔
６６：ガス供給源
７４：制御部
Ｒ：有機膜
【図１】
2018142651.tif 000003
【図２】
2018142651.tif 000004
【図３】
2018142651.tif 000005
【図４】
2018142651.tif 000006
【図５】
2018142651.tif 000007
【図６】
2018142651.tif 000008
【図７】
2018142651.tif 000009
【図８】
2018142651.tif 000010
【図９】
2018142651.tif 000011
【図１０】
2018142651.tif 000012
【図１１】
2018142651.tif 000013
【図１２】
2018142651.tif 000014
【図１３】
2018142651.tif 000015
【図１４】
2018142651.tif 000016
【図１５】
2018142651.tif 000017
【図１６】
2018142651.tif 000018